Podtech/llm-jp-corpus-v4-ja_patent huggingface dataset:
(57)【要約】【課題】簡便で使いやすく、弾力性ある皮膚に確実にマイクロニードルアレイを投与する装置と方法を提供する。【解決手段】本発明のマイクロニードルアレイを皮膚に投与する装置は、電動機の動力を利用する点に特徴がある。電動機の回転運動を偏心ギアを利用して直線運動に変換するか、振動運動に変換して皮膚表面に保持したマイクロニードルを皮膚内に刺入する。【選択図】図１
2011167476.tif 000002
【特許請求の範囲】
【請求項１】
電動機の動力を利用してマイクロニードルを皮膚に刺入することを特徴とするマイクロニードルアレイの投与装置。
【請求項２】
電動機の回転運動を偏心ギアを利用して直線運動に変換することを特徴とする請求項１のマイクロニードルアレイの投与装置。
【請求項３】
電動機の回転運動を振動運動に変換することを特徴とする請求項１のマイクロニードルアレイの投与装置
【請求項４】
マイクロニードルアレイを皮膚に投与するための方法であって、
電動機の回転運動を、偏心ギアを利用して直線運動に変換するか、又は振動運動に変換することを特徴とするマイクロニードルアレイの投与方法。
【発明の詳細な説明】
【技術分野】
【０００１】  本発明は皮膚表層及び／又は皮膚角質層に修飾効果及び／又は機能効果を与えるためのマイクロニードルアレイを皮膚に投与する装置と投与する方法に関する。
【背景技術】
【０００２】  薬物を人の体内に投与する手法として、経口的投与と経皮的投与がよく用いられている。注射は代表的な経皮的投与法である。しかし、注射は医師・看護師のような専門家の手を煩わせねばならず、苦痛を伴い、更にエイズやＢ型肝炎などの感染もあり得る、多くの人にとって歓迎すべからざる手法である。これに対し、最近マイクロニードルアレイを利用した、苦痛を伴わない経皮的投与法が注目されてきた（特許文献１）。【０００３】  薬物の経皮的投与の際皮膚角質層は薬物透過のバリアとして働き、単に皮膚表面に薬物を塗布するだけでは透過性は必ずしも十分ではない。これに対し微小な針、すなわちマイクロニードルを用いて角質層を穿孔することにより、塗布法より薬物投与効率を格段に向上させることができる。このマイクロニードルを基板上に多数集積したものがマイクロニードルアレイである。特に、糖質などの体内で代謝により消失する基材を用いてマイクロニードルを作成すれば、仮にニードルが折れ皮膚内に残存したとしても事故とはならない。そればかりか、糖質中に薬物を含ませておくならば刺入されたマイクロニードルが体内で溶解されることにより、容易に薬物を皮内や皮下に投与することができる（特許文献２）。【０００４】  しかし一般に皮膚は柔軟であり、マイクロニードルアレイを皮膚に投与するさい、マイクロニードルアレイを指で押さえるだけでは皮膚の強い弾力性に妨げられ、容易にマイクロニードルを皮膚内に刺入することはできない。
弾力性ある皮膚にマイクロニードルアレイを投与するには、マイクロニードルアレイを高速で皮膚にたたきつけることが必要である。この方法として、これまで、ばね（特許文献３）や空気圧（特許文献４）などの利用が提案されてきた。ばねは、引き金までばねを圧縮するのにかなりの力を要し、女性や小児には使用が困難である。空気圧の利用にはポンプが必要で、装置が大型化し、簡便とは言えずまた高価となる。このように従来のマイクロニードルアレイ投与装置は実用上欠陥を有しており、利用者からはより簡便でかつ刺入が確実に実現できる装置が求められていた。
【先行技術文献】
【０００５】
【特許文献１】特表２００２−５１７３００号公報（要約、［００２０］、図１）
【特許文献２】特開２００３−２３８３４７号公報（要約、［０００７］、図７）
【特許文献３】特表２００６−５００９７３号公報（［００３５］、［００３７］、図４、図６）
【特許文献４】同上（［００３８］、図７）
【発明の概要】
【発明が解決しようとする課題】
【０００６】  本発明が解決しようとする課題は、弾力性ある皮膚に確実にマイクロニードルアレイを投与できる簡便で使いやすい装置と方法を提供することである。
【課題を解決するための手段】
【０００７】  上記課題を解決するためになされた本発明に係わるマイクロニードルアレイ投与装置は、電動機の動力を利用してマイクロニードルを皮膚に刺入することを特徴とする。【０００８】  電動機を動力として利用するに際し、電動機の回転運動を偏心ギアを利用して直線運動に変換する方法と、電動機の回転運動を振動に変換する方法とがある。【０００９】  電動機の回転運動を偏心ギアを利用して直線運動にかえ、マイクロニードルアレイを衝撃力を利用して皮膚に押し込む場合は、押し込み力として０．４Ｎ以上１０Ｎ以下の力が適当である。これより力が弱くてはマイクロニードルアレイを皮膚に刺入させることが困難であり、これより強くてはマイクロニードルアレイが破損するおそれがある。【００１０】  電動機の回転運動を振動に変換しマイクロニードルアレイを振動により皮膚に押し込む場合は、振動力として０．４Ｎ以上１０Ｎ以下の力が適当である。これより力が弱くてはマイクロニードルアレイを皮膚に刺入させることが困難であり、これより強くてはマイクロニードルアレイが破損するおそれがある。
【発明の効果】
【００１１】  電動機は動作が迅速確実でかつ装置が簡便軽量である。
本発明の装置又は方法は、装置が小型軽量であるにもかかわらず瞬間的な衝撃力を発生させることができ、女性や小児にも容易に利用できる。これによりマイクロニードルアレイの利用が一層容易かつ便利になると考えられる。
【図面の簡単な説明】
【００１２】
【図１】偏心ギアを利用した投与装置の概略図。
【発明を実施するための形態】
【００１３】  次に、本発明の実施例を図面を参照して詳細に説明するが、本発明は実施例に限定されるものではない。
【実施例１】
【００１４】  電動機の回転運動を偏心ギアを利用して直線運動にかえ、衝撃力を利用してマイクロニードルアレイを皮膚に押し込む投与装置の一例を図１に示す。
アルミニウム製のハウジング（３）には、電動機と電動機の回転運動を直線運動に変換するギアシステムと単２乾電池１個が収納されている。【００１５】  ハウジング（３）を持ちスイッチ（４）を入れると、ハウジングから突出する衝撃体（２）が往復直線運動をし、皮膚上に保持したマイクロニードル（図示せず）を複数回衝撃する。このときの衝撃力は約５Ｎと推定される。この衝撃によりマイクロニードルが人体皮膚内に確実に刺入されることを確認した。
【産業上の利用可能性】
【００１６】  本発明によるマイクロニードルアレイの投与装置は、医療や美容の分野において広く利用されるものと期待される。
【符号の説明】
【００１７】２……衝撃体
３……ハウジング
４……スイッチ
【図１】
2011167476.tif 000003
(57)【要約】【課題】少なくとも２個以上の複数個の宝石を使用する装身具において、従来の装身具にあるような金属製台の爪と呼ばれる棒形状の宝石固定用部品部分をなくし、誰でも複雑な長時間作業をすることなく宝石が固定でき、全ての装身具類で自由なアイデアで製作が可能な、宝石の美しさを最大限に見せることができる、機能性と自由性とデザイン性をにすぐれる、付加価値の高い装身具を提供する。【解決手段】少なくとも２個以上の宝石を使用する装身具において、貴金属あるいは金属製の台にあらかじめ孔などの設置場所が設けられていて、その台に宝石を設置した後、宝石の正面に透明ガラスを置いた後、透明ガラスを固定する装身具。【選択図】図１
2011167233.tif 000002
【特許請求の範囲】
【請求項１】
少なくとも２個以上の宝石を使用する装身具において、貴金属あるいは金属製の台にあらかじめ孔などの設置場所が設けられていて、その台に宝石を設置した後、宝石の正面に透明ガラスを置いた後、透明ガラスを固定することによって宝石を固定する装身具。
【請求項２】
透明ガラスがサファイヤガラスであることを特徴とする請求項１に記載の装身具。
【請求項３】
透明ガラスに半透明の着色が施された請求項１に記載の装身具。
【請求項４】
宝石が天然及び人工である請求項１に記載の装身具。
【発明の詳細な説明】
【技術分野】
【０００１】
この発明は少なくとも２個以上の複数個の宝石を使用する装身具において、その機能性と自由性とデザイン性を高め、作業性も大幅に向上することができる装身具に関するものである。
【背景技術】
【０００２】
装身具において、ダイヤモンドなどの宝石を貴金属の台に固定する場合、貴金属の台に宝石を取り囲むように爪と称される棒形状を付帯させ、宝石を所定の位置に設置した後、棒形状部分を宝石側に曲げて倒し込み宝石を固定している。
【０００３】
しかし、棒形状を貴金属の台に設置し宝石を固定するこの技法では、固定する宝石の数の数倍の棒形状を曲げていく必要があるため、加工時間が長時間になることや、固定した宝石が装身具の使用中に欠落してしまうという問題などがあった。
【０００４】
このことから、特許３３４１０８２のように、宝石を２枚の板状部分の空間に挟み込む技法などある。
【０００５】
しかしながら、特許３３４１０８２ではあらかじめ宝石を別の固定用個体に設置しておく必要があり、固定作業に多くの時間がかかってしまうという問題がある。
【先行技術文献】
【特許文献】
【０００６】
【特許文献１】特許３３４１０８２
【発明の概要】
【発明が解決しようとする課題】
【０００７】
この発明は前述した問題点を解決するものであり、少なくとも２個以上の複数個の宝石を使用する装身具において、その機能性と自由性とデザイン性を高め、作業性も大幅に向上することができる装身具の製造方法に関するものである。
【課題を解決するための手段】
【０００８】
以上の課題を解決するため、この発明は一少なくとも２個以上の複数個の宝石を使用する装身具において、少なくとも２ヶ所以上の設置箇所か孔が設けられている貴金属、あるいは金属製の台と、透明なガラスから成り立っていて、前述の問題点を解決し機能性と自由性とデザイン性を高めることができる装身具の製造方法をすることができることを特徴とするものである。
【０００９】
この発明は、少なくとも２個以上の複数個の宝石を使用する装身具において、宝石の設置が容易で、自由なデザインの装身具を簡単に製造できることを特徴とする。
【００１０】
この発明の装飾体の一部には、貴金属あるいは金属製の台が用いられていて、その台には２ヶ所以上の設置箇所か孔が設けられていて、透明なガラスによって宝石が固定されていることを特徴とする。
【発明の効果】
【００１１】
この発明によれば、少なくとも２個以上の複数個の宝石を使用する装身具において、宝石の固定に多くの時間を費やす、宝石が欠落する、デザインの制限が生じるという問題点を取り除き、その機能性と自由性とデザイン性を高め、作業性も大幅に向上することができる装身具の提供をすることが可能となった。
【図面の簡単な説明】
【００１２】
【図１】この発明の全体図である。
【図２】この発明の展開図である。
【発明を実施するための形態】
【００１３】
図１は本発明の形態で、少なくとも２個以上の複数個の宝石を使用する装身具である。
図１に示すように、少なくとも２個以上の複数個の宝石を使用する装身具１０は孔３の設けられた貴金属台１と、透明ガラス２から形成されている。
【００１４】
少なくとも２個以上の複数個の宝石を使用する装身具１０の台１は貴金属製か金属製であるので、指輪やペンダントやイヤリング、ブローチ、ブレスレットなど全ての装身具を作ることができる。
【００１５】
装身具１０の台１は、一般的に使用されている素材なので、自由な形状で製作することができ、宝石の設置箇所や孔も自由に作ることができる。
【００１６】
装身具１０に用いられる透明ガラス２は硬質であるので、宝石をしっかりと固定することができる。
【００１７】
図２は本発明の実施形態を示す図である。
図２に示すように、装身具１０は台１と透明ガラス２と宝石５で形成されている。
【００１８】
図２のように、装身具１０の台１にはあらかじめ、宝石を設置するための孔などの加工が施されていて、そこに宝石を設置する。
【００１９】
その後に、硬質の透明ガラス２を台１に設置し、倒し込部４をガラス側に倒し込み、透明ガラス２を固定することによって複数の宝石も固定される。
【００２０】
台１に固定される宝石表面には、一般的に宝石を固定するのに用いられる爪と呼ばれる金属突起がないので、宝石の輝きを損なうことはなく、本来の輝きを得ることができるとともに、宝石の欠落の心配がない。
【００２１】
また、台１に宝石を密集させることによって、実際に使用している宝石よりも大きな宝石として見ることができる。
【００２２】
さらに、台１に固定する宝石に様々な色のついた宝石を使用することによって、文字や図形などを表現することもできる。
【００２３】
このような工程を経て製造された装身具１０は、石留めなどの工程を大幅に省くことが可能で、従来になかった斬新なデザインが展開できる機能的なものとなった。
【産業上の利用可能性】
【００２４】
この発明の装身具は、従来のような複雑で難しい宝石を留める工程がないので、製作時間を大幅に削減し、しかも宝石が欠落する心配のない、文字や図形も自在に表現することのできるため、装身具市場に新たに付加価値の高い製品を提供できるものである。
【符号の説明】
【００２５】
１  台１
２  透明ガラス２
３  孔３
４  倒し込部４
５  宝石５
【図１】
2011167233.tif 000003
【図２】
2011167233.tif 000004
(57)【要約】【課題】ペットが挟まったり、頭や鼻などをぶつけたりしない、ペット用出入り口を提供する。【解決手段】出入り口の蓋の部分を布製にした事を特徴とする。【選択図】図１
2011167179.tif 000002
【特許請求の範囲】
【請求項１】
2011167179.tif 000003
ペット用出入り口である。
【発明の詳細な説明】
【技術分野】
【０００１】この発明は引き戸と壁に挟んで、戸を閉めたままでペットの出入りを出来る用にした補助の戸に関するものです。
【背景技術】
【０００２】従来の出入り口の蓋はプラスチックなど硬い素材で出来ていました。
【先行技術文献】
【０００３】
【特許文献１】
【非特許文献１】
【発明の概要】
【発明が解決しようとする課題】
【０００４】これは、次のような欠点があった。
従来、ペット用出入り口の蓋の部分はプラスチックなどの硬い素材で出来ており、ペットが挟まったり、頭や鼻をぶつける危険性がありました。
本発明は、以上のような欠点をなくすためになされたものです。
【課題を解決するための手段】
【０００５】木製の板（１）の入り口になる部分をくり貫き、布製の出入り口（２）をマジックテープで取り付ける。
本発明は、以上の構成よりなるペット用出入り口である。
【発明の効果】
【０００６】出入り口の蓋の部分を布製にしたので、ペットが挟まったり、頭や鼻などをぶつける危険性がありません。
【図面の簡単な説明】
【０００７】
【図１】本発明の斜視図である。
【図２】本発明の平面図である。
【発明を実施するための形態】
【０００８】木製の板をくり貫き、布製の出入り口の蓋になる部分を板を挟みこむように、出入り口の上の部分にマジックテープで取り付けて、高さ調整の箱型の物を取り付け、板の側面の上の方に穴を開けて、アンカーボルトを取り付ける。
本発明は、以上のような構造である。
これを使う時は、引き戸と壁の間に挟んで使えばよい。
【符号の説明】
【０００９】１      出入り口本体の部分
２      出入り口本体の出入り口の蓋の部分
３      出入り口本体の高さ調整のための箱の部分
４      高さを決めて、ねじで固定するためのアンカーボルト
【図１】
2011167179.tif 000004
【図２】
2011167179.tif 000005
(57)【要約】      （修正有）【課題】アーチ型支柱のトンネル栽培作業の中で、長尺ビニールシートの開閉は意外と時間と手間がかかり、中腰作業の為疲れる。また夏場の干ばつや苗の植え替えなど水が必要になる。以上を解決する雨水集水付き被覆開閉具を提供する。【解決手段】上面には雨水を集める溝があり、長手方向両端部近くに杭穴があり、その穴に通す杭がある。手前側面にも溝がありその溝に押し込む取っ手付き部材７がる、長手方向両端部一方に上部側突起物が、もう一方には下部側突起物があり、両者の奥行きは同一寸法である、雨水溝に雨水を集め、地中に設置したタンクに誘導す。【選択図】図２
2011167172.tif 000002
【特許請求の範囲】
【請求項１】
上面に溝があり、上面から下面に穴が貫通され、その穴に通す部材があり、側面にも溝かありその溝に取っ手付きはめ込み部材がある、長手方向両端部一方は、上部に突起部があり、もう一方の端部は下部に突起部がある、同端部の上面溝周りに刻みが入れてあり、その刻み箇所に差込む部材があり、他方は筒状になっている、アーチ型支柱を軸に回転する突起棒がある。
【発明の詳細な説明】
【技術分野】
【０００１】  本発明は畑の作物を寒さ、害虫や水不足から守る為の、雨水集水付き被覆開閉具に関する物である。
【背景技術】
【０００２】  従来畑に作物を植えたら寒さや害虫から守る為、アーチ型支柱の両端を地面に刺して、その上に長尺のビニールシートを被せる。風でビニールシートが飛ばされないよう、クリップで支柱と一緒に挟んだりビニールシートの端に土をかけて固定している。又種子を蒔いたり苗を植替えたりした後など水が必要となる。
【発明の概要】
【発明が解決しようとする課題】
【０００３】アーチ型支柱のトンネル栽培作業を開始する時、固定している長尺ビニールシートを外さなければならない、長い距離だと手間と中腰作業の為疲れる。作業終えたら又ビニールシート元の状態に戻さなければならない。
夏場畑が干上がっている時、作物に水を与えたり作物の植え付け時など、水が必要になる水源の確保が必須となる。
本発明は以上の問題点を解決する為に成されたものである。
【問題を解決するための手段】
【０００４】  上面は雨水を集められるよう全長に渡って雨水溝が有り、長手方向両端部近くに表面から底まで貫通した穴がある。その穴を通る杭もある。手前側面にも全長に渡って挟み溝が有り、その溝に収まる部材もある。
長手方向の端部から奥行き１５ｃｍ、底から高さ３分の１の面積で切り落とす、もう一方の端部は奥行き１５ｃｍ、上面から高さ３分の２の面積で切り落されている。上面雨水溝の長手方向両端部に溝３辺を囲むようにコの字型の刻みが入れてある。その刻みにはめ込むコの字型部材もあり、もう一方は円筒型に成っている。アーチ型支柱を挟んで水平回転出来る棒がある。
以上の構成より成る雨水集水付き被覆開閉具。
【発明の効果】
【０００５】従来アーチ型支柱トンネル栽培の場合、長尺ビニールシートを外す時クリップを１個ずつ外したり、土を取り除いたり、ビニールシートを捲し上げたりしているが、本発明によりかなりの作業が省略され、作業も簡単に出来る。ビニールシートに降った雨を集める構造が併設されている為、水の確保も容易である。本発明品の自重と数本の杭で飛散に対抗し、ビニールを巻き込みながら、たくし上げるため開閉が簡単に出来る。
【図面の簡単な説明】
【０００６】
【図１】本発明の斜視図
【図２】本発明の使用状態を示す斜視図
【図３】詳細図
【発明を実施するための形態】
【０００７】  以下、本発明の実施の形態を説明する。
（イ）長手方向断面（１）は４角形で棒状を成し、上面（２）幅半分に長方形の雨水溝（３）が全長にある。上面（２）幅残り半分の長手方向両端部（１）近くに１ヶ所ずつ上面から底まで貫通した杭穴（４）かある。その杭穴を通る杭（５）がある。
（ロ）手前側面の高さ２分の１の位置に長方形の挟み溝（６）が全長にあり、挟み溝（に隙間無く納まり、手で摘める取手付き部材（７）が付いている。
（ハ）長手方向端部（１）から奥行き１５ｃｍ底面から高さ３分の１の面積で切り落とし、もう一方の端部は奥行き１５ｃｍ、上面から高さ３分の２の面積で切り落とされている。
（二）上面の雨水溝（３）、両端部の雨水溝断面を囲うようにコの字型刻み部（８）が２ｃｍの深さで開けられている。この刻みにはめ込むため、コの字型で他方が円筒型に成っている集水部材（９）がある。
（ホ）アーチ型支柱を挟んで、支柱を軸に水平回転出来る引っ掛け棒（１２）がある。
本発明は以上のような構造である。
本発明を使用する時は畑の畝にアーチ型支柱（１０）を等間隔に設置した後、長尺ビニールシート（１１）を、アーチ型支柱の上に掛ける。ビニールシート地面側の端の上に本発明を乗せる、ビニールシートの端を手前側面の挟み溝（６）より少し長めにセットし、取手付き部材（７）をはさみ込んで固定する。本発明がしっかり地面に設置していてビニールシートに雨水溝（３）側が接触している状態で杭穴（４）に２ヶ所杭（５）を差込む。反対側も同じようにビニールシ−トの上に置き、本発明をアーチ型支柱の根元にピッタリ付けて、ビニールシートの端を挟み溝（６）の上までたるみ無く引っ張った状態で取手付き部材（７）をはめ込み、そして杭を差し込む。
本発明を２本以上つなげて使用する場合は本発明の両端部（１）、高さ底から３分の１側と、高さ上面から３分の２の側を重ね合わせる。杭穴（４）も重なるので、杭（５）を地面に差し込んで一体として固定する。
ビニールシート面に降った雨や直接雨水溝に流れ込んだ雨水は上面雨水溝（３）を通って長手方向断面部（１）から落下し、コの字型の刻み部（８）に集水部材（９）を差込み固定し、他方はホースを差込、地面の中に埋めたタンクに流れ込む。
作業のため長尺ビニールシート（１１）を開く時は杭（５）を引き抜き、長手方向断面部（１）に差し込んである集水部材（９）をはずす。本発明の１本目の長さの中間に居て、本発明品をビニールシートに巻き付けながら持ち上げる、予めアーチ型支柱に取付けられている引っ掛け棒（１２）を９０度回転させ手前に出し、そこにビニールシートを巻きつけた本発明を掛けて作業が出来るようにする。作業が終わって閉じる時は支柱に固定されている引っ掛け棒（１２）を９０度回転してビニールシートに引っかからないように内側に戻す。本発明を地面に降ろしアーチ型支柱に寄せて、杭穴に杭を通し差し込んで固定する。長手方向端部にコの字型集水部材（９）を差し込む。
【符号の説明】
【０００８】（１）長手方向断面図（２）上面（３）雨水溝（４）杭穴（５）杭（６）挟み溝
（７）取手付き部材（８）コの字型刻み部（９）集水部材（１０）アーチ型支柱
（１１）長尺ビニールシート（１２）引っ掛け棒
【図１】
2011167172.tif 000003
【図２】
2011167172.tif 000004
【図３】
2011167172.tif 000005
【手続補正書】
【提出日】平成22年7月23日(2010.7.23)
【手続補正１】
【補正対象書類名】特許請求の範囲
【補正対象項目名】全文
【補正方法】変更
【補正の内容】
【特許請求の範囲】
【請求項１】
本体は棒状を成し、長手方向両端部に一ヶ所ずつ、上面から底まで貫通した杭穴を設け、手前側面に挟み溝が全長に設けられ、挟み溝に隙間無く納まり、手で摘める取手付き部材を備えた事を特徴とする被覆開閉具。
(57)【要約】【課題】  花壇やコンテナの寄せ植えは植物の寿命がそれぞれ違う為、長期にわたる観賞困難であった。  本発明は寿命の短い植物を簡易に植え替え可能にすることにより、長期にわたりデザインを替えて美しく観賞出来る事を目的とする。【解決手段】（イ）大小各種のポリポットにおいて、ポリポットの底近くの位置に外周する複数本の切り取り線を設け、ミシン目に挟まれた外周の任意の位置に舌状つまみを設ける。舌状つまみを持って、底近くの複数本のミシン目に沿って不要部分である底切取り部分を切り取ってから植える事により、新しい根がたくさん出るようになる。（ロ）ウオータースペース部分にスクエアーカット部分が出きるよう、任意の対向的な位置に複数箇所のミシン目を設ける。ミシン目に沿って切り取れば、残った部分が持ち手部になるので、植物の抜き取り作業がより簡易になり、その後、抜き取った用土の空間に新しい花苗を植栽する事が出来る。【選択図】図１
2011167177.tif 000002
【特許請求の範囲】
【請求項１】
大小各種のポリポットにおいて、ポリポットの底近くの位置に外周する複数本の切り取り線を設け、ミシン目に挟まれた外周の任意の位置に舌状つまみを設け、ポリポット上部のウオータースペース部分にスクエアーカットが出来るよう、任意の対向的な位置に複数箇所のミシン目を設けた事を特徴とする、底が切り取れる植物栽培容器。
【発明の詳細な説明】
【技術分野】
【０００１】  本発明は花壇やコンテナ等の寄せ植えにおいて、花苗の一部分を簡易な方法で植え替え可能にする植栽容器に関するものである。
【背景技術】
【０００２】  植物栽培容器（以下「ポリポット」と言う）に入っている花苗を植える場合、ポリポットから苗を取り出して用土に植えていた。苗をポリポットに入ったまま植える場合もあるが、根張りが悪く植物が元気に育たない。よってポリポットは消費者に渡るとそのまま不要物として廃棄されていた。
【発明の概要】
【発明が解決しようとする課題】
【０００３】  複数の植物を花壇やコンテナ等に植栽する時、植物の寿命がさまざまな為、長期にわたり美しく観賞する事が困難であった。長期間観賞する為には、寿命が終わった植物は植え替える必要があるが、部分的な植え替えをするには、技術が必要である。
ポリポットに入ったまま植栽した場合は、根が充分に張る事は不可能である。植え込みをする際、ポリポットを外して植えるが、根が広がってしまう為、抜き取る時、１部分のみの抜き取りは困難である。
【課題を解決するための手段】
【０００４】（イ）大小各種のポリポットにおいて、ポリポットの底近くの位置に外周する複数本の切り取り線（以下「ミシン目」と言う）を設け、ミシン目に挟まれた外周の任意の位置に舌状つまみを設ける。舌状つまみを持って、底近くの複数本のミシン目に沿って、不要部分である底切取り部分を切り取ってから植える事により、新しい根がたくさん出るようになる。
（ロ）ウオータースペース部分にスクエアーカット部分が出来るよう、任意の対向的な位置に複数箇所のミシン目を設ける。ミシン目に沿って切り取れば、残った部分が持ち手部になるので、植物の抜き取り作業がより簡易になる。その後、抜き取った用土の空間に新しい花苗を植栽する事が出来る。
【発明の効果】
【０００５】（ハ）ポリポットの底を切り取るという行為により、新しく便利な使い方を提供し、ポリポットを使用したまま植えても、底がない為、根が充分に張ることが出来る。
（ニ）花壇やコンテナ等に多種類の花苗を寄せ植えした時、寿命の長いものは植え替えしないで残し、寿命の終わった植物のみを何回でも植え替えする事が簡易に出来き、周囲の植物を傷付けることなく作業が出来る。
（ホ）部分的な植え替えが簡易になった事によって、違うデザインの花壇や寄せ植え等が出来上がり、長期にわたり美しく花壇やコンテナ等を観賞する事が出来る。又、変わり行く季節を感じることも出来る。
【図面の簡単な説明】
【０００６】
【図１】本発明の正面図
【図２】本発明の実施例表わす正面図
【発明を実施する為の形態】
【０００７】（イ）大小各種のポリポット（１）において、ポリポット（１）の底近くの位置に外周する複数本のミシン目（２）を設け、ミシン目（２）に挟まれた外周の任意の位置に舌状つまみ（３）を設ける。舌状つまみ（３）を持って、底近くの複数本のミシン目（２）に沿って不要部分である底切取り部分（５）を切り取ってから植える事により、新しい根がたくさん出るようになる。
（ロ）ウオータースペース部分にスクエアーカット部分（２）が出来るよう、任意の対向的な位置に複数個所のミシン目（２）を設ける。ミシン目（２）に沿って切り取れば、残った部分が持ち手部（４）になるので、植物の抜き取り作業がより簡易になり、その後、抜き取った用土の空間に新しい花苗を植栽する事が出来る。
本発明は以上のような構造で、これを実際に使用する時は、苗を逆さにする事なく置いたまま底を切り取る事が出来る。ウオータースペースにスクエアーカットを設ける事により、他の植物との高さが揃い、ジョウロの水や雨水が充分に行き渡る。底が無いことにより、根が充分張ることが出来る。
【使い方と効果】
【０００８】  手で底や淵が簡単に切り取れる為、鋏が不要になった。
植物を抜き取る時、シャベルを使用しなくても容易に抜き取れるようになった。
【符号の説明】
【０００９】１ポリポット
２ミシン目
３舌状つまみ
４持ち手部
５底切取り部分
６スクエアーカット部分
【図１】
2011167177.tif 000003
【図２】
2011167177.tif 000004
(57)【要約】【課題】このしゃり玉にいろいろなネタを載せて一般家庭で日常的に、美味しくツヤのある、衛生面も優れたにぎり寿司を同時に多数作る寿司成型器を提供する。【解決手段】成型器本体（２）に複数個のしゃり型部（３）を並列に配置し、成型器本体（２）に成型器蓋（１）をにぎり寿司成型器。【選択図】図１
2011167175.tif 000002
【特許請求の範囲】
【請求項１】
成型器本体（２）に複数個のしゅり型部（３）を並列に配置し、成型器本体（２）に成型器蓋（１）をして作るにぎり寿司成型器。
【発明の詳細な説明】
【技術分野】
【０００１】  今や、わが国といわず世界で、にぎり寿司ブームであるが、一般家庭内では殆んど寿司と言えば、巻き簾で作る手巻き寿司か押し寿司器で作る押し寿司である。
一方にぎり寿司は、ご飯のにぎりが綺麗にできない等々であるが、この発明は、家庭で子供から大人まで誰でもが簡単、容易に作ることが出来る。
かつ衛生的、しかもこの手法でお米の美味しさを引き出し、更に米粒にツヤが出る綺麗な、にぎり寿司飯（以下しゃり玉）を一度に多数作ることができる成型器の発明とその使い方である。
にぎり寿司の美味しさは、ネタ二割、しゃり八割、と言われており、つまりしゃり玉の出来具合がポイントである。
このしゃり玉にいろいろなネタを載せて一般家庭で日常的に、にぎり寿司が楽しめるにぎり寿司成型器を提供する。
【背景技術】
【０００２】  従来の家庭用にしゃり玉成型器はにぎり寿司の型に成型された容器に寿司飯を入れ蓋などで上から押し付けて型を取る方法で作る器具が一般的であった。
他にも寿司職人のにぎり寿司を目指し工夫した物等いろいろ有るが普及してない最大の原因は、手軽さに欠けていること、この発明の様に簡単で一度に多数作るものは殆ど普及していない。
【発明の開示】
【発明が解決しようとする課題】
【０００３】（イ）従来の家庭用しゃり玉成型器は上から押さえる方法で、この場合寿司飯のご飯粒個々が密着してしまい、お米本来の美味しさが損なわれてしまう欠点がある。
（ロ）にぎり寿司の美味しさはネタ二割、しゃり八割と言われ、にぎり寿司を口に入れたときにご飯がほぐれてくるのが美味しいとされる。
本発明はこの適度なにぎり具合で美味しいしゃり玉を実現ししかも、しゃり玉にツヤが出て見た目にも美味く出来上がる。
（ハ）本発明はまた、誰でも簡単に作ることが出来る。
（ニ）直接素手で寿司飯を触れることは無いので大変衛生的である。
（ホ）美味しいしゃり玉を一度に多数（一人前程）作る成型器であり、何度か繰り返せば簡単に必要人数分出来る。
【課題を解決するための手段】
【０００４】  成型器本体（２）に複数個のしゃり型部（３）を並列に配置し、成型器本体（２）に成型器蓋（１）をにぎり寿司成型器。
【発明の効果】
【０００５】（イ）しゃり玉のご飯粒個々がつぶれることなく美味しい。
（ロ）適度な固さも調整でき、しかも口の中でほぐれ美味しい。
（ハ）誰でも簡単に作ることが出来る。
（ニ）ご飯を手で直接触れないので大変衛生的である。
（ホ）一度に多数のしゃり玉を作ることが出来る。
【図面の簡単な説明】
【０００６】
【図１】  本発明のにぎり寿司成型器の分解斜視図である。
【図２】  本発明のしゃり型部拡大図である。
【図３】  本発明の使用状態を示した説明図である。
【図４】  本発明の使用状態を示した説明図である。
【発明を実施するための最良の形態】
【０００７】  以下、本発明の実施の形態を説明する。
成型器本体（２）に複数個のしゃり型部（３）を並列に配置し、成型器本体（２）に成型器蓋（１）をにぎり寿司成型器。
成型器について説明する。
（イ）同時に多数のしゃり玉を作る成型器は普通のにぎり寿司の型をした型枠を耐熱プラスチック等で作成し、５〜７個を並列に合計１０〜１４個のしゃり玉を作る成型器（例の図は１２個の成型器）また並列で個々の成型形を傾けて並べ見た目の美しさを出す成型器も可能である。
（ロ）しゃり玉の型枠内部は底部・側面部にご飯が型枠に密着しないよう、凸凹エンボス加工する。
（ハ）成型器の蓋にも凸凹エンボス加工してお米の密着を防ぐ。
（ニ）成型器は蓋をしたときに、内部型枠と蓋内面との空間が２ミリほどの間隔が出来るように作る。
使い方の説明をする。
（イ）上記成型器に炊き立てのご飯に合せ酢した寿司飯を入れ作る。
（ロ）寿司飯の量は各々成型枠にふんわり軽く均一に一杯になる程度入れる、（ネタに合わせてご飯の量を多め、少なめと任意に入れても良いし、量は好みの大きさに合わせてもＯＫ）但し絶対ご飯を押し付けて詰め込まない。
（ハ）型枠に詰めた熱い寿司飯を直に蓋をして利き手で成型器の片方を持ち、上下に振りながらもう一方の手の平に軽く当て型枠の中で寿司飯が踊るのを確認しながらポンポンと５〜８回ほど軽く手の平に当てる、成型器を１８０度回して同じように持ち、ポンポン５〜８回手の平に当て同じように内部で寿司飯を踊るのを確認し終了、ご飯がしゃり玉になり、このたたき具合で簡単に固さ具合も調整で出来る。
（ニ）蓋、又は、にぎり寿司台などの受け皿に成型本体の裏側型枠をポンポンと軽く叩き出すと適度な握り具合のしゃり玉が出来、更にしばらくすると米粒にツヤ出て綺麗なしゃり玉の完成。
（ホ）このしゃり玉にお好みでわさびを軽く塗り、（チュブ入りが使いやすい）いろんなネタをのせて食べる。
（ヘ）食べる直前に、お刺身などの、ネタに醤油を付けしゃり玉に一寸押さえてのせ、ネタが舌側になるよう口に入れ、にぎり寿司本来の食べ方する。
（ニ）この方法で作れば、しゃり玉のほぐれ具合は丁度良くなり美味しさを実感出来る、又一度に一人前程度のしゃり玉が簡単に完成、数人前必要時はこれを繰り返せば簡単に出来上がる、寿司飯のベストは炊立てで使用が原則で出来た状態から冷めていく過程で光沢も出る。
保温のご飯で合わせても熱ければ型枠にも密着せず出来上る。
成型器の工夫した点を説明する。
（イ）成型器は同時に多数のしゃり玉を作り普通のしゃり玉の型をした型枠を耐熱プラスチック等で作成し、５〜７個を並列に合計１０〜１４個のしゃり玉を一度に作ることが出来る成型器（例の図は１２個の成型器）と蓋で構成している。
大きさは片手で持てる大きさ。
（ロ）しゃり玉の型枠内部は底部・側面部にご飯が型枠に密着しないよう特殊加工をした。
（ハ）成型器の蓋にも特殊加工し美味しさ、密着しない加工をした。
美味しいしゃり玉の作り方を説明する。
上記成型器に、炊き立てのご飯を合わせ酢し、成型器に入れ、蓋をしてツヤのある美味しいしゃり玉を作る方法である。
【符号の説明】
【０００８】１  成型器蓋
２  成型器本体
３  しゃり型部
【図１】
2011167175.tif 000003
【図２】
2011167175.tif 000004
【図３】
2011167175.tif 000005
【図４】
2011167175.tif 000006
(57)【要約】【課題】船釣り用竿受本体固定用ネジ最上部に隙間の有るタイプの物は、手漕ぎボート船べりに固定する際、木材等を隙間に差し込みながら固定していたが、装着に時間がかかっていた。本発明は、船釣り用竿受を手漕ぎボートの船べりに固定するための補助具を提供するものである。【解決手段】手漕ぎボートの船べりに固定するために、船釣り用竿受の固定ネジ台座の隙間に、しっかり締め付けができる程度の厚板に固定ネジ台座差込部を設け、挿し込むことにより、手漕ぎボートに船釣り用竿受が簡単に固定できることである。【選択図】図１
2011167174.tif 000002
【特許請求の範囲】
【請求項１】
手漕ぎボート船べりに固定するために、船釣り用竿受の固定ネジ台座の隙間に、しっかり締め付けができる程度の厚板に前記船釣り用竿受の固定ネジ台座用の差込部を設け、差し込むことにより、手漕ぎボートに船釣り用竿受が簡単に固定できることを特長とした船釣り用竿受固定補助具である。
【発明の詳細な説明】
【技術分野】
【０００１】  本発明は、船釣り用竿受を手漕ぎボートへ固定する際、本体固定装置がぐらつくのを防止し、装着時間を短縮する補助具である。
【背景技術】
【０００２】  市販の船釣り用竿受で本体固定ネジ最上部にネジを最後まで締めても隙間の有るタイプの物は、船体が薄い素材で出来ている手漕ぎボートに固定する際ネジを締めても固定することが出来なかったため、木材等を隙間に入れて固定していた。
【発明概要】
【発明が解決しようとする課題】
【０００３】  前記船釣り用竿受本体固定ネジ最上部に隙間の有るタイプの物は、手漕ぎボート船べりに固定する際、木材等を隙間に差し込みながら固定していたが、手漕ぎボートの船べりは前記船釣り用竿受本体固定ネジを締める際、ネジ最上部が目視できない構造のものが多く、木材を目で確認しながら差し込むことができないことがあった。また、水上では波による揺れにより前記船釣り用竿受と木材等の両方を片手で持ち、もう一方の手で前記船釣り用竿受本体固定ネジを締めるため、装着が難しく時間がかかっていた。
本発明は、以上の問題を解決するためになされたものである。
【課題を解決するための手段】
【０００４】  手漕ぎボート船べりに固定するために、前記船釣り用竿受の固定ネジ台座の隙間に、しっかり締めつけができる程度の厚板に、前記船釣り用竿受の固定ネジ台座差込部を設け、差し込むことにより、手漕ぎボートに前記船釣り用竿受が簡単に固定出来ることである。
【発明の効果】
【０００５】  そのままでは手漕ぎボートに固定できない前記船釣り用竿受を本発明により船釣り用竿受固定補助具が前記船釣り用竿受けの固定ネジ台座にしっかり差し込まれるため、落下せず簡単に短時間で船べりに固定することが出来る。
【図面の簡単な説明】
【０００６】
【図１】本発明の正面図
【図２】本発明の斜視図
【図３】本発明の取り付け前の状態斜視図
【図４】本発明の取り付け後の状態斜視図
【図５】本発明の底板取り付け状態斜視図
【発明を実施するための形態】
【０００７】  以下、本発明の実施の形態を図面に基づいて説明する。
（イ）船釣り用竿受の補助具本体（１）に船釣り用竿受固定用ネジ（６）と船釣り用竿受固定用ネジ台座（７）を差し込める程度の船釣り用竿受固定用台座挿し込み用切り欠き（２）と船釣り用竿受固定用ネジ挿し込み用切り欠き（３）を設ける。
（ロ）差込口の両側に台座固定用のクッションゴム（４）を設ける。
（ハ）補助具本体上部（５）に滑り止め用ゴムを設ける。
（二）補助具本体の下部に船釣り用竿受固定用ネジの差込用切り欠き（３）を設けた底板（８）を設ける方法もある。
本発明は以上のような構造である。
本発明を使用するときは、前記船釣り用竿受固定用ネジ（６）と船釣り用竿受固定用ネジ台座（７）を補助具本体（１）の切り欠き部（２）と（３）に挿し込み、手漕ぎボートの船べりにあてがい前記船釣り用竿受の固定用ネジ（６）を締め付けることにより、手漕ぎボートの船べりへ簡単に短時間で固定することが出来る。
【符号の説明】
【０００９】    （１）補助具本体
（２）船釣り用竿受固定用台座挿し込み用切り欠き
（３）船釣り用竿受固定用ネジ挿し込み用切り欠き
（４）台座固定用クッションゴム
（５）滑り止めゴム
（６）船釣り用竿受固定用ネジ
（７）船釣り用竿受固定用ネジ台座
（８）底板
（９）船釣り用竿受
【実施例】
【００１０】  補助具本体（１）に木材を使用することにより、使用中水中へ落下しても浮いているため回収が容易になる。プラスティックの成型などにより作成することもできる。
【図１】
2011167174.tif 000003
【図２】
2011167174.tif 000004
【図３】
2011167174.tif 000005
【図４】
2011167174.tif 000006
【図５】
2011167174.tif 000007
(57)【要約】【課題】  家畜の飼育方法を見直すことによって、繁殖障害を防止する。【解決手段】  家畜に一定期間甘草を給与し、直腸検査により、卵巣や子宮の状態に改善が認められることを確認した後に種付けを実施する。この方法により、繁殖障害を起こしている家畜の９０％以上が妊娠することが認められた。【選択図】なし【特許請求の範囲】
【請求項１】
甘草単独または甘草を混合した飼料を経口給与することにより、家畜の繁殖障害を改善する方法。
【発明の詳細な説明】
【技術分野】
【０００１】  本発明は、牛を代表とする家畜の繁殖障害を改善する方法に関するものである。
【背景技術】
【０００２】  食肉を得ること目的とする畜産業や酪農においては、製品の品質の維持向上のため、自然に任せた交尾による繁殖よりは、人工授精を行うことが一般的である。そして、人工授精、つまり種付けを行うには相当の費用が必要であり、その成否は畜産業に従事する農家の収益に直結するものである。【０００３】  従って、繁殖障害は農家の経営健全化にとっては、重要な阻害要因の一つである。これは、何らかの原因で、種付けを実施できないか、実施しても家畜が妊娠しない状態であり、代表的な現象としては、次のようなものが挙げられる。【０００４】  まず、第一に、発情の異常がある。これは、家畜が年齢的に成熟期に達し、発情すべき時期になっても、発情状態が顕在化しない程度に弱く、識別できないこと、発情が不定期になることなどが挙げられる。また、子宮や膣などの生殖器官の異常や、受精卵が着床しなかったり、受精卵が着床してもすぐに死んでしまったりする現象が見られる。【０００５】  これらの障害は、飼育の環境が不適切で、家畜に無用のストレスを与えたり、飼料の与え方の不適切で栄養バランスの欠如が生じたりすることで起こることもあり、これらの問題に的確に対処することで、解決する場合もある。【０００６】  家畜の順調な繁殖を管理する技術として、特許文献１には、パーソナルコンピュータ及びインターネットを用いて、人工授精師に発情時期を自動的に連絡することにより、遅滞なく授精作業を完遂し、分娩に立ち会うことを可能とする、乳牛の繁殖管理システムが開示されている。しかし、このシステムは、繁殖障害に対処する方法を含むものでなく、前記の課題には、必ずしも十分に適応したものではない。
【先行技術文献】
【特許文献】
【０００７】
【特許文献１】  特開２００２−３２８９６７号公報
【発明の概要】
【発明が解決しようとする課題】
【０００８】  従って、本発明の課題は、前記特許文献に開示されているような方法によらず、家畜の飼育方法を見直すことによって、繁殖障害を防止することである。
【課題を解決するための手段】  本発明者は、前記課題の解決を目的として、家畜に与える栄養のバランスを適切にするために、様々な健康食品やサプリメントを与えて、その効果を検討した結果、医薬品の原料としても用いられている甘草が、極めて有効であることを見出し、本発明をなすに至ったものである。即ち、本発明は、甘草単独または甘草を混合した飼料を経口給与することにより、家畜の繁殖障害を改善する方法である。
【発明の効果】
【０００９】  本発明によれば、発明の実施の形態にて後述するように、種付けの成功率を極めて高めることが可能となる。甘草の給与の形態は、甘草をそのままか、乾燥して粉末化したもの、甘草エキス粉末のいずれでも、効果を得ることができる。また必要な量を飼料に混合しても良い。給与量としては、家畜の体重１ｋｇあたり甘草粉末０．０５ｇ、つまり、体重が５００ｋｇの雌の成牛の場合で、２５ｇ程度であることが望ましい。
【図面の簡単な説明】
【００１０】
【図１】  本発明に係る甘草の給与方法の例を示す図。
【発明を実施するための形態】
【００１１】  次に、本発明の実施の形態について説明する。
【００１２】  ここでは、肉牛に甘草を与えて、種付けの成否を検討した結果について説明する。表１は、宮城県加美郡加美町城生字前田の長曽我部獣医科にて、近隣の農家で頻繁に繁殖障害を起こしている６３頭の肉牛に対し、試験を行なった結果をまとめたものである。また、図１には、甘草給与方式をまとめて示した。
【００１３】
【表１】
2011167184.tif 000002
【表１】
2011167184.tif 000003
【００１４】  表１において、例えば試験Ｎｏ．１について、記載項目の意味するところを説明すると、平成１０年６月１９日に誕生し、６回出産を経験した雌の肉牛に９回種付けをおこなったところ、妊娠しなかったため、直近の出産から子宮に胎児が存在しなかった期間、つまり空胎日数が２７０日であったが、甘草を１０日間給与すると同時に、甘草給与開始１週間後に、ホルモン剤であるプロスタグランディン（以下、ＰＧと記す）を投与し、種付けを行なった結果、妊娠した、というものである。この甘草給与方法は図１（ａ）に相当する。表１における『判定』の項目は、『＋』が妊娠したもの、『−』が妊娠しなかったもの示す。
【００１５】  つまり、表１の中の１ｗＰＧという記載は、甘草給与開始後１週間でＰＧを投与し、その後も甘草を給与したという意味で、試験Ｎｏ．１では、７日間甘草を与えた後、ＰＧを投与し、その後も甘草を３日間、合計１０日間給与したことになる。
【００１６】  試験を行なうにあたっては、対象となる肉牛に、事前に直腸検査を行い、卵巣並びに子宮の状態が、妊娠に好ましくないことを確認し、甘草投与開始後１週間経過した時点で、再び直腸検査を行い、卵巣並びに子宮の状態に改善が認められた場合は、その後３日間甘草を給与し、卵巣並びに子宮の状態が回復途中である判断されたものについては、引き続き６〜８日間甘草を給与した。後者の甘草給与方法は。図１（ｂ）に相当する。
【００１７】  また、中には、ＰＧ投与を行わないで１０日間甘草給与を行い、発情を確認して種付けを行った場合もある。この甘草給与方法は、図１（ｃ）に相当する。その結果、甘草給与開始後１０日程で、直腸検査により、卵巣の状態が改善されたことを確認し、種付けを行った場合、つまり図１（ａ）や図１（ｂ）の場合で、約８０％の牛が妊娠したことを確認された。なお、試験Ｎｏ．９９における『コンセラール×２』という記載は、卵巣の病気の治療薬品であるコンセラールを、２回投与したことを示す。
【００１８】  残りの２０％については、その後、他のホルモン剤や甘草を給与することなく、自然発情を待った上で、種付けを行ったところ、２箇月以内に妊娠したことが確認された。ただし、甘草の給与を継続しながら種付けを２回行っても妊娠しない場合、つまり図１（ｄ）に相当する甘草給与方法でも妊娠しない場合が４件認められ、農家の判断で廃牛とした例もある。
【００１９】  以上に説明したように。本発明によれば、所要量の甘草を与えるという簡便な方法で、繁殖障害を起こしている家畜について、種付けの成功率を飛躍的に上昇することが可能となり、畜産業発展に寄与するところは極めて大きいと言える。
【００２０】  なお、本発明は、前記実施の形態に限定されるものではなく、本発明の分野における通常の知識を有する者であれば想到し得る、肉牛の他の家畜、例えば豚に適用するような、各種変形、修正を含む要旨を逸脱しない範囲の設計変更があっても、本発明に含まれることは勿論である。
【図１】
2011167184.tif 000004
(57)【要約】【課題】  絹のような軟らかい食感のみならず、それと異なる食感を持つ生地や素材を組み合わせて焼き上げることにより、これまでにない食感や外観を有する新しいタイプのシフォンケーキを提供する。【解決手段】  シフォンケーキ部（１）の生地の上に、クランブルや木の実等（２）を、シフォンケーキ部（１）の生地と混ぜ合わせることなく散らし、焼き上げた、多様性のあるシフォンケーキを特徴とする。【選択図】図１
2011167182.tif 000002
【特許請求の範囲】
【請求項１】
シフォンケーキ部（１）の生地と、異なる食感を持つクランブルや木の実等（２）とを、組み合わせて焼き上げた、多様性のあるシフォンケーキ。
【発明の詳細な説明】
【技術分野】
【０００１】  この発明は、シフォンケーキの生地と、異なる食感を持つ生地等とを、組み合わせて焼き上げた、多様性のあるシフォンケーキに関するものである。
【背景技術】
【０００２】  従来、シフォンケーキは、シフォン（絹）の滑らかさを想像させるふんわり軟らかい食感と、絹目のように整った焼き上がりの生地を身上とするものである。生地そのものに具材を混ぜ込むことはあっても、全体としての食感や風味としては均一であった。
【発明の開示】
【発明が解決しようとする課題】
【０００３】  本発明は、シフォンケーキに、絹のような軟らかさのみならず、異なる食感、風味を持つ生地と組み合わせて焼き上げることで、食感、外観ともにこれまでにない新しいタイプのシフォンケーキを提供するためになされたものである。
【課題を解決するための手段】
【０００４】  シフォンケーキを焼く際に、その生地を型に流し入れた上に、クランブル（バター、砂糖、小麦粉等を材料とするクッキー生地をそぼろ状にしたもの）や木の実等（２）を、シフォンケーキ部（１）の生地と混ぜ込むことなく散らして、焼く。
本発明は、以上のような構成よりなる、多様性のあるシフォンケーキである。
【発明の効果】
【０００５】  シフォンケーキとクランブル等を混ぜ込むことなく合体させることで、異なる食感、つまり絹目のようにしっとりとした軟らかさとカリカリと小気味よい歯ごたえを、同時に味わうことができる。また、単一生地のシフォンケーキの上にクランブル等がのっていることで、見た目にも変化をもたらす。その際に、それぞれの生地の風味を違えることで（例えば、シフォンケーキをバニラ風味にしてクランブルをココア風味にする、シフォンケーキをフルーツ風味にしてクランブルをバニラ風味にする、等）、味に幾通りもの組み合わせを作り出すことができ、更にはそれぞれの生地の色合いが異なれば、特に焼き上がって切った時に、その色合いの多様性を楽しむことができる。総じて、これまでにない、豪華かつ変化に富んだシフォンケーキを提供できる。
【発明を実施するための最良の形態】
【０００６】  以下、本発明を実施するための最良の形態について説明する。
シフォンケーキを作る際に、まず型にその生地を流し入れた後、その上に、クランブルや木の実等（２）をシフォンケーキ部（１）の生地と混ぜ合わせることなくまんべんなく散らす。そうした上で、通常通り適度に予熱したオーブンで焼き上げる。この時、シフォンケーキ部（１）とクランブルや木の実等（２）の組み合わせを思いのままに楽しむのがよいし、味わう際にはその食感や外観の多様性を存分に堪能するとよい。
【図面の簡単な説明】
【０００７】
【図１】  本発明の斜視図である。
【図２】  本発明の断面図である。
【符号の説明】
【０００８】  １  シフォンケーキ部
２  クランブルや木の実等
【図１】
2011167182.tif 000003
【図２】
2011167182.tif 000004
(57)【要約】 【課題】     本発明は、衣服表面に描いた図案と衣服表面に設けた透視可能な収納部と前記収納部に入れる物が有機的に結合された１つの図案を形成することができる衣服を提供することにある。【解決手段】    本発明の衣服（４）は、衣服表面に描いた図案（３）と、物を入れる収納部（１）と、収納部に入れる物（５）とより構成され、前記収納部は、これに前記物を入れたとき、前期図案と収納部と物が有機的に結合して有意味な図柄を形成するようにしたことを特徴とするものである。 【選択図】  図１
2011102443.tif 000002
【特許請求の範囲】
【請求項１】
衣服表面に描いた図案と、衣服表面に設けた物を入れる透視可能な収納部と、前記収納部に入れる前記物とよりなり、かつ前記図案と収納部と収納部に入れた物とにより有機的に構成された１つの図柄を形成することができる衣服。
【発明の詳細な説明】
【技術分野】
【０００１】
本発明は、衣服表面に描いた図案と衣服表面に設けた透視可能な収納部と前記収納部に入れる物とにより有機的に構成された１つの図柄を形成することができる衣服に関する。
【背景技術】
【０００２】
従来の衣服では、衣服表面に描いた図案、収納部と前記収納部に入れる物は、個別の役割を果たすだけで、これらが有機的に結合して１つの図柄を形成することができなかった。
【発明の概要】
【発明が解決しようとする課題】
【０００３】
本発明は、衣服表面に描いた図案と衣服表面に設けた透視可能な収納部と前記収納部に入れる物が有機的に結合された１つの図柄を形成することができる衣服を提供することにある。
【課題を解決するための手段】
【０００４】
本発明の衣服は、衣服表面に描いた図案と、物を入れる収納部と、収納部に入れる前記物とより構成され、前記収納部は、これに前記物を入れたとき、前期図案と収納部と物が有機的に結合して有意味な図形を形成するようにしたことを特徴とするものである。
【発明の効果】
【０００５】
本発明においては、衣服の収納部と、これに入れる物と衣服に描かれた図案が有機的に結合されて1つの図柄を形成することができる。 
【図面の簡単な説明】
【０００６】
【図１】実施例１のTシャツに透明ポケットを付けた衣服
【図２】実施例２のTシャツに透明ポケットを付けた衣服
【図３】実施例３のポロシャツに透明ポケットを付けた衣服
【図４】実施例４のジャージにメッシュ素材ポケットを付けた衣服
【実施例１】
【０００７】
図１のTシャツ（４）の布地に「両手を上げた人」の図案 (３)を印刷する。透明ビニール素材のポケット (１)をポケットの下部が人の手の部分と重なる位置に取り付ける。取り付けは縫付でおこなう。収納物である携帯電話 (５)をポケットに入れると、携帯電話の下部がちょうど人の両手に重なる位置になり、「人が両手で携帯電話を持ち上げている」という有機的に結合された図柄が形成される。
【実施例２】
【０００８】
図２のTシャツ（４）の布地に「人の手」の図案 (３)を印刷する。透明ビニール素材のポケット （１）に「手の指」に相当する図案 (２)をカッティングシートで切り抜き取り付ける。そのポケットを手の印刷とポケットの指の図案が位置がそろうようにTシャツに取り付ける。収納物である携帯電話 (５)をポケットに入れると、携帯電話は手の印刷の上側に、そして指の図案の下側に配置され、「手が携帯電話をつかんでいる」という有機的に結合された図柄が形成される。
【実施例３】
【０００９】
図３のポロシャツ（７）の布地に「箱」の図案 (３)を印刷する。ビニール素材のポケット （１）に「箱の前面の一部」に相当する図案 (２)をスプレーカラーで印刷する。そのポケットをシャツの図案と位置がそろうようにポロシャツに取り付ける。収納物である携帯音楽プレーヤー (５)をポケットに入れると、携帯音楽プレーヤーは「箱の中に入っている」という有機的に結合された図柄が形成される。
【実施例４】
【００１０】
図４のジャージ（８）の布地に「紐」の図案 (３)を印刷する。メッシュ素材のポケット （６）をジャージの図案と位置がそろうようにポロシャツに取り付ける。収納物である携帯音楽プレーヤー (５)をポケットに入れると、携帯音楽プレーヤーが「紐でぶら下がっている」という有機的に結合された図柄が形成される。
【００１１】
この発明の構成は、衣服以外の、例えば、建築物、印刷物、家具、等に採用することもできる。
【符号の説明】
【００１２】
１．透明ポケット
２．ポケット部補助図案
３．衣服に描いた図案
４．Tシャツ
５．収納物
６．メッシュ素材ポケット
７．ポロシャツ
８．ジャージ
【図１】
2011102443.tif 000003
【図２】
2011102443.tif 000004
【図３】
2011102443.tif 000005
【図４】
2011102443.tif 000006